(57)【要約】【課題】サイトグラスが高温や高圧の湿り蒸気に長期間曝されても、サイトグラスの表面が侵食されず、乾き度の測定精度を良好に維持することを課題とする。【解決手段】乾き度測定装置１は、測定対象の湿り蒸気の測定部２１、２２に介設されたサイトグラス３１、３２と、湿り蒸気を透過した光の強度Ａまたは吸光度Ｂの測定値と、湿り蒸気の乾き度χと、の関係に基づき、湿り蒸気の乾き度χの値を特定する乾き度特定部１０１と、を備える。サイトグラス３１、３２は、少なくとも湿り蒸気との接触面がサファイアガラスで形成される。【選択図】図１
2015232520.tif 000002
【特許請求の範囲】
【請求項１】
測定対象の湿り蒸気の測定部に介設されたサイトグラスと、
前記湿り蒸気を透過した光の強度または吸光度の測定値と、前記湿り蒸気の乾き度と、の関係に基づき、前記湿り蒸気の乾き度の値を特定する乾き度特定部と、を備え、
前記サイトグラスは、少なくとも前記湿り蒸気との接触面がサファイアガラスで形成された、
乾き度測定装置。
【請求項２】
前記湿り蒸気の圧力を計測する圧力計測部と、
前記乾き度特定部で特定した前記湿り蒸気の乾き度の値を補正する乾き度補正部と、をさらに備え、
前記乾き度補正部は、計測された前記湿り蒸気の圧力に対応する前記相関関係に基づいて前記湿り蒸気の乾き度を補正する、
請求項１に記載の乾き度測定装置。
【請求項３】
前記湿り蒸気の温度を計測する温度計測部と、
前記乾き度特定部で特定した前記湿り蒸気の乾き度の値を補正する乾き度補正部と、をさらに備え、
前記乾き度補正部は、計測された前記湿り蒸気の温度に対応する前記相関関係に基づいて前記湿り蒸気の乾き度を補正する、
請求項１または２に記載の乾き度測定装置。
【請求項４】
前記湿り蒸気の流速を計測する流速計測部と、
前記乾き度特定部で特定した前記湿り蒸気の乾き度の値を補正する乾き度補正部と、をさらに備え、
前記乾き度補正部は、特定した前記湿り蒸気の乾き度の値を流速変化に対応する補正値により補正する、
請求項１乃至３のいずれか一項に記載の乾き度測定装置。
【請求項５】
前記サイトグラスを介して、前記湿り蒸気に光を照射する発光部と、
前記サイトグラスを介して、前記湿り蒸気を透過した光を受ける受光部と、
前記湿り蒸気を透過した光の強度または吸光度と、前記湿り蒸気の乾き度と、の関係を保存する関係記憶部と、をさらに備える、
請求項１乃至４のいずれか一項に記載の乾き度測定装置。
【発明の詳細な説明】
【技術分野】
【０００１】
本発明は湿り蒸気の測定技術に係り、乾き度測定装置に関する。
【背景技術】
【０００２】
水は沸点に達した後、水蒸気ガス（気相部分：飽和蒸気）と、水滴（液相部分：飽和水）と、が混合した湿り蒸気となる。ここで、湿り蒸気に対する水蒸気ガスの重量比を、「乾き度」という。例えば、水蒸気ガスと、水滴と、が半分ずつ存在すれば、乾き度は０．５となる。また、水滴が存在せず、水蒸気ガスのみが存在する場合は、乾き度は１．０となる。熱交換器等において、湿り蒸気が保有する顕熱と、潜熱と、を有効に利用することや、水蒸気タービンにおいて、タービン翼の腐食を防止すること、等の観点から、湿り蒸気の乾き度を１．０に近い状態にすることが望まれている。そのため、乾き度を測定する様々な方法が提案されている。
【０００３】
例えば、特許文献１は、配管に設けられた圧力調節弁の前後で全エンタルピーに変化がないことを利用して、圧力調節弁の前後の湿り蒸気流量及び圧力に基づき、飽和蒸気表を用いて飽和水エンタルピーと飽和蒸気エンタルピーとを求めて、乾き度を算出する技術を開示している。
【０００４】
しかし、特許文献１に開示された技術は、湿り蒸気の流量及び圧力を検出するセンサの時定数が長く、また、測定対象の湿り蒸気を二相状態から気相状態に状態変化させ、さらに測定対象を気相状態で安定化させる必要があるため、乾き度の測定に時間がかかるという問題があった。このため、湿り状態が定常状態にあるときの乾き度を測定することは可能であったが、湿り蒸気が安定するまでの過渡状態にあるときの乾き度測定には適さなかった。
【０００５】
そこで、湿り蒸気が過渡状態である場合でも乾き度を測定することを目的として、本出願人は、特許文献２を提案した。特許文献２は、湿り蒸気に光を照射する発光体と、湿り蒸気を透過した光を受光する受光素子と、湿り蒸気の温度又は圧力を測定する環境センサと、湿り蒸気を透過した光の強度と、湿り蒸気の乾き度と、の関係を、温度又は圧力毎に保存する関係記憶部と、受光素子による光の強度の測定値と、環境センサによる温度又は圧力の測定値と、上記関係と、に基づき、湿り蒸気の乾き度の値を特定する乾き度特定部と、を備える乾き度測定装置を開示している。
【先行技術文献】
【特許文献】
【０００６】
【特許文献１】特開平８−３１２９０８号公報
【特許文献２】特開２０１３−９２４５７号公報
【発明の概要】
【発明が解決しようとする課題】
【０００７】
ところで、従来、配管には、当該配管内部を流通する流体を観察するためのサイトグラスが介設されている。また、特許文献２のように、湿り蒸気の乾き度を光学的に測定する場合にも、湿り蒸気の測定部にサイトグラスが介設される。従来のサイトグラスは、パイレックス（登録商標）や石英などの耐圧性および耐熱性に比較的優れた材質で形成されていた。
【０００８】
しかし、サイトグラスが高温や高圧の湿り蒸気に長期間曝されると、次第にサイトグラスの表面が侵食され、いわゆる「白焼け」という現象が発生していた。サイトグラスの表面に白焼けが生じると、光強度の測定精度が悪くなるので、乾き度の測定精度が低下するという問題があった。
【０００９】
そこで、本発明は、サイトグラスが高温や高圧の湿り蒸気に長期間曝されても、サイトグラスの表面が侵食されず、乾き度の測定精度を良好に維持することができる乾き度測定装置の提供を目的の一つとする。
【課題を解決するための手段】
【００１０】
上記課題を解決するために、本発明は以下の構成要件を備えるものである。
（１）本発明に係る乾き度測定装置は、（ａ）測定対象の湿り蒸気の測定部に介設されたサイトグラスと、（ｂ）上記湿り蒸気を透過した光の強度または吸光度の測定値と、上記湿り蒸気の乾き度と、の関係に基づき、上記湿り蒸気の乾き度の値を特定する乾き度特定部と、を備え、上記サイトグラスは、少なくとも上記湿り蒸気との接触面がサファイアガラスで形成されている。
【００１１】
本発明は、所望により、以下の構成を備えていてもよい。
（２）上記発明において、（ｃ）上記湿り蒸気の圧力を計測する圧力計測部と、（ｄ）上記乾き度特定部で特定した上記湿り蒸気の乾き度の値を補正する乾き度補正部と、をさらに備え、上記乾き度補正部は、計測された前記湿り蒸気の圧力に対応する前記相関関係に基づいて上記湿り蒸気の乾き度を特定する。
【００１２】
（３）上記発明において、（ｅ）上記湿り蒸気の温度を計測する温度計測部と、（ｆ）上記乾き度特定部で特定した上記湿り蒸気の乾き度の値を補正する乾き度補正部と、をさらに備え、上記乾き度補正部は、計測された上記湿り蒸気の温度に対応する上記相関関係に基づいて上記湿り蒸気の乾き度を特定する。
【００１３】
（４）上記発明において、（ｇ）上記湿り蒸気の流速を計測する流速計測部と、（ｈ）上記乾き度特定部で特定した上記湿り蒸気の乾き度の値を補正する乾き度補正部と、をさらに備え、上記乾き度補正部は、特定した上記湿り蒸気の乾き度の値を流速変化に対応する補正値により補正演算する。
【００１４】
（５）上記発明において、（ｉ）上記透光性部材を介して、上記湿り蒸気に光を照射する発光部と、（ｊ）上記透光性部材を介して、上記湿り蒸気を透過した光を受ける受光部と、（ｋ）前記湿り蒸気を透過した光の強度または吸光度と、前記湿り蒸気の乾き度と、の関係を保存する関係記憶部と、をさらに備える。
【発明の効果】
【００１５】
本発明によれば、サイトグラスが高温や高圧の湿り蒸気に長期間曝されても、サイトグラスの表面が侵食されず、乾き度の測定精度を良好に維持することができる。
【図面の簡単な説明】
【００１６】
【図１】本発明の実施形態１に係る乾き度測定装置の模式図。
【図２】本発明の実施形態２における蒸気使用前後の透過光強度の変化率を示す図。
【図３】本発明の実施形態２に係る乾き度測定装置の模式図。
【図４】本発明の実施形態２における湿り蒸気の圧力と乾き度と光の強度との相関関係を示す図。
【図５】本発明の実施形態３に係る乾き度測定装置の模式図。
【図６】本発明の実施形態３における湿り蒸気の温度と乾き度と光の強度との相関関係を示す図。
【図７】本発明の実施形態４に係る乾き度測定装置の模式図。
【図８】本発明の実施形態５に係る乾き度測定装置の模式図。
【図９】本発明の実施形態５における湿り蒸気の乾き度と吸光度との相関関係を示す図。
【発明を実施するための形態】
【００１７】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１８】
（定義）
本明細書で使用する主たる用語を以下のとおりに定義する。
「蒸気」：各実施形態では、水蒸気のことを意味するが、気相部分と液相部分との二相状態となる物質の蒸気であればよく、水蒸気に限定されない。
「乾き度」：蒸気中の気相部分と液相部分との重量割合のことをいう。乾き度[%]＝１００[%]−湿り度[%]の関係がある。
「湿り蒸気」：乾き度χが０−１００[%]の蒸気をいう。
「光の強度」（光強度）：光（電磁波）の強さを表す物理量をいい、その称呼や単位に限定はない。例えば、放射強度、光度、光量子束密度など、それぞれ単位が異なるが相互に換算可能な物理量である。
【００１９】
「吸光度」：光が湿り蒸気中を通過した際に光の強度がどの程度弱まるかを示す無次元量であり、光学密度ともいう。吸光度といっても光の吸収のみならず、散乱や反射により光の強度が弱まる場合も含む。
【００２０】
以下、本発明の実施形態を説明する。実施形態１では、湿り蒸気の圧力、温度および流速の影響を考慮しなくてよい状況における光の強度と乾き度との相関関係に基づく乾き度測定装置を説明する。実施形態２では、湿り蒸気の圧力を考慮する場合における乾き度測定装置を説明する。実施形態３では、湿り蒸気の温度を考慮する場合における乾き度測定装置を説明する。実施形態４では、湿り蒸気の流速を考慮する場合における乾き度測定装置を説明する。
【００２１】
（実施形態１）
本実施形態１は、湿り蒸気を透過した光の強度と乾き度との相関関係に基づいて乾き度を測定する乾き度測定装置に関する。特に本実施形態１は、湿り蒸気の圧力、温度および流速の影響を考慮しなくてよい場合、例えば、湿り蒸気の圧力、温度および流速が光の強度に大きな影響を与えないような条件で実施される乾き度測定について説明する。
【００２２】
（構成）
図１に、本実施形態１における乾き度測定装置１の構成を示す。図１に示すように、実施形態１に係る乾き度測定装置１は、測定対象の湿り蒸気を透過した光の強度に基づいて湿り蒸気の乾き度を測定する装置であり、例示的に、発光部１１、受光部１２、乾き度特定部１０１、および記憶装置２００を備えて構成される。
【００２３】
上記の構成のうち、発光部１１および受光部１２については、湿り蒸気を透過する光の強度に対応する物理量を出力可能であれば、任意の構成が適用可能であるため、オプショナルな構成である。
【００２４】
上記した構成要素のうち、乾き度特定部１０１は、所定のソフトウェアプログラムをコンピュータ装置１００が実行することにより機能的に実現される機能ブロックである。コンピュータ装置１００は、例示として、入力装置１０４、出力装置１０６、プログラム記憶装置１０８、一時記憶装置１１０、および記憶装置２００を備える。
【００２５】
入力装置１０４は、オペレータが所定の指示を操作する入力手段である。入力装置１０４の一例としては、スイッチ及びキーボード等が使用可能である。出力装置１０６は、オペレータに対しコンピュータ装置１００の処理結果を示す出力手段である。出力装置１０６の一例としては、光インジケータ、デジタルインジケータ、及び液晶表示装置等が使用可能である。出力装置１０６は、例えば、乾き度特定部１０１が特定したパイプ２０内部の湿り蒸気の乾き度χ等を表示する。プログラム記憶装置１０８は、コンピュータ装置１００を上記機能ブロックとして機能させるためのソフトウェアプログラムを格納するメモリである。一時記憶装置１１０は、コンピュータ装置１００がソフトウェアプログラムを実行するに際に一時的にデータを記憶するメモリである。
【００２６】
記憶装置２００は、コンピュータ装置１００から参照可能に接続されているメモリであり、相関関係記憶部２０１を備える。相関係記憶部２０１は、乾き度特定部１０１が乾き度を特定するにあたり必要な、光の強度Ａと湿り蒸気の乾き度χとの相関関係を示す相関関係テーブルを格納する記憶領域である。相関関係記憶部２０１は、後述する関係式で代替可能であり、よってオプショナルな構成であるといえる。
【００２７】
発光部１１は、所定の波長の光を射出する発光手段である。例えば、発光部１１としては、発光ダイオード、スーパールミネッセントダイオード、半導体レーザ、レーザ発振器、蛍光放電管、低圧水銀灯、キセノンランプ、及び電球等が使用可能である。
【００２８】
発光部１１は、測定対象の湿り蒸気の測定部２１に配設される。具体的には、湿り蒸気の測定部２１は、パイプ２０にノズル部２３を貫通して設けられる。測定対象の湿り蒸気の測定部２１には、パイプ２０内部を流通する湿り蒸気を観察するためのサイトグラス３１が介設される。サイトグラス３１は、全体が単体のサファイアガラスで形成されていてもよいが、これに限定されず、少なくとも湿り蒸気との接触面がサファイアガラスで形成されていればよい。良好な光透過性を有すれば、例えば、石英ガラスの表面にサファイアガラスを積層した複合ガラスであっても構わない。ここで、サファイアガラスとは、アルミナ（Ａｌ2Ｏ3）に微量の鉄（Ｆｅ）やチタニウム（Ｔｉ）を加えて、人工的に巨大結晶へと成長させた、耐圧性および耐熱性に優れる光透過性部材である。サイトグラス３１により伝搬された光は、サイトグラス３１の端部からパイプ２０の内部に進入する。
【００２９】
パイプ２０は、測定対象となる湿り蒸気が流通する配管である。パイプ２０には、上記したサイトグラス３１から照射され、パイプ２０の内部の湿り蒸気を通過した光が進入する湿り蒸気の測定部２２が設けられる。具体的には、湿り蒸気の測定部２２は、パイプ２０にノズル部２４を貫通して設けられる。測定対象の湿り蒸気の測定部２２には、サイトグラス３２が介設される。サイトグラス３２は、全体が単体のサファイアガラスで形成されていてもよいが、これに限定されず、少なくとも湿り蒸気との接触面がサファイアガラスで形成されていればよい。良好な光透過性を有すれば、例えば、石英ガラスの表面にサファイアガラスを積層した複合ガラスであっても構わない。
【００３０】
サイトグラス３２の端部は、パイプ２０の径方向でサイトグラス３１の端部と対向している。サイトグラス３２は、パイプ２０の内部の湿り蒸気を透過した光を受光部１２に導くことが可能に構成されている。
なお、発光部１１とサイトグラス３１との間、サイトグラス３２と受光部１２との間には、不図示の光導波路を設けてもよい。光導波路には、ポリメタクリル酸メチル樹脂（ＰＭＭＡ：Ｐｏｌｙ（ｍｅｔｈｙｌ  ｍｅｔｈａｃｒｙｌａｔｅ））からなるプラスチック光ファイバ、及び石英ガラスからなるガラス光ファイバ等が使用可能であるが、発光部１１が発した光を伝搬可能であれば、これに限定されない。
【００３１】
受光部１２は、パイプ２０内の湿り蒸気を透過した光を受ける受光手段である。例えば、受光部１２としては、には、フォトダイオード、フォトトランジスタ等の光電変換素子が使用可能である。受光部１２は、湿り蒸気を透過した光の強度に応じた受光信号Ｓｄを出力する。
【００３２】
なお、図１では、発光部１１と受光部１２とが対向して設けられているが、この代わりに、発光部と受光部との双方が一体化された発光受光素子を用いてもよい。発光受光素子を用いる場合、発光受光素子と対向するパイプの側壁に反射板を配置してもよい。発光受光素子から発せられた光は、パイプ内部を進行し、反射板で反射され、再びパイプ内を進行して発光受光素子に受光される。さらに、発光部１１および受光部１２に代えて、公知の分光計など、光の強度に対応する出力が得られる分光計等の光学的計測機器を適用することも可能である。
【００３３】
乾き度特定部１０１は、記憶装置２００の相関関係記憶部２０１に記憶された光の強度と乾き度との相関関係に基づいて湿り蒸気の乾き度χを特定する手段である。具体的には、乾き度特定部１０１は、受光部１２が測定した光強度Ａを参照値として、記憶装置２０の相関関係記憶部２０１を参照し、光強度Ａに対応する乾き度χを取得し、出力値として出力する。
【００３４】
相関関係記憶部２０１には、例えば、光の強度Ａと湿り蒸気の乾き度χとの相関関係がデータテーブルとして格納される。この相関関係は、当該乾き度測定装置１が想定している湿り蒸気について、予め規定された圧力と温度における、光強度と湿り蒸気の乾き度との関係を示すものである。
【００３５】
なお、光の強度Ａと湿り蒸気の乾き度χとの相関関係は、ある一定の相関関係を有するため、当該関係を以下の式（１）のような関係式として記述することもできる。光の強度σと湿り蒸気の乾き度χとの相関関係が、一次相関関係であれば、式（１）は一次関数の近似式として記述することが可能である。
乾き度χ＝ｆ（Ａ）  …（１）
したがって、関係式を用いる場合には、乾き度特定部１０１は、光の強度Ａを式（１）に代入し、乾き度χを演算して出力する。
【００３６】
（動作）
次に本実施形態１の動作を説明する。
まず、湿り蒸気がパイプ２０の内部を流れている状態で湿り蒸気の乾き度を測定する場合、発光部１１に光を発光させる。発光部１１からサイトグラス３１を伝播した光は、パイプ２０内部の湿り蒸気に照射される。
【００３７】
湿り蒸気を透過した光は、パイプ２０の反対側にあるサイトグラス３２に入射して伝播し、受光部１２にて受光される。受光部１２は、湿り蒸気を透過した光の強度に対応した受光信号Ｓｄを出力する。
【００３８】
乾き度特定部１０１は、受光部１２が測定した光強度Ａを参照値として記憶装置２００の相関関係記憶部２０１を参照するか、上記式（１）のような関係式に基づく演算をして、対応する湿り蒸気の乾き度χを出力する。出力された湿り蒸気の乾き度χは、例えば、出力装置１０６に表示される。
【００３９】
サイトグラス３１，３２は、少なくとも湿り蒸気との接触面が耐圧性および耐熱性に優れたサファイアガラスで形成されている。図２に、石英ガラスとサファイアガラスの蒸気使用前後の透過光強度の変化率を示す。図２に示すように、石英ガラスが湿り蒸気に曝されると、−４０．６％まで透過光強度が低下する。これに対し、サファイアガラスが湿り蒸気に曝されると、−０．３％と透過光強度が良好に維持されている。すなわち、石英ガラスには白焼け現象が生じたが、サファイアガラスには白焼け現象が生じていないことが判る。
【００４０】
（効果）
以上説明した実施形態１によれば、サイトグラス３１，３２の少なくとも湿り蒸気との接触面がサファイアガラスで形成されているので、サイトグラス３１，３２が高温や高圧の湿り蒸気に長期間曝されても、サイトグラス３１，３２の表面が侵食されず、乾き度の測定精度を良好に維持することができる。したがって、湿り蒸気の相状態に影響を受けない光の強度Ａと湿り蒸気の乾き度χとの相関関係に基づき乾き度χを測定可能であるので、湿り蒸気が過渡状態であったとしても湿り蒸気の乾き度を確実に測定することが可能である。
【００４１】
（実施形態２）
上記実施形態１は、湿り蒸気の圧力および温度の影響を考慮しなくてよい場合における乾き度測定装置を説明したが、本実施形態２では、湿り蒸気の圧力を考慮する場合における乾き度測定装置に関する。
【００４２】
（構成）
図３に、本実施形態２における乾き度測定装置１ｂの構成を示す。図３に示すように、実施形態２に係る乾き度測定装置１ｂは、測定対象の湿り蒸気の圧力に対応した、湿り蒸気の光の強度に基づいて乾き度を測定する装置であり、例示的に、発光部１１、受光部１２、乾き度特定部１０１、乾き度補正部１０２ｂ、および相関関係記憶部２０１ｂを含む記憶装置２００を備えて構成される。
【００４３】
本実施形態２では、さらに圧力センサ４１を備えている。圧力センサ４１は、パイプ２０に配置されており、パイプ２０内部の湿り蒸気の圧力ｐを計測して圧力信号Ｓｐとしてコンピュータ装置１００に出力する。
【００４４】
上記の構成のうち、発光部１１、受光部１２、および相関関係記憶部２０１ｂがオプショナルな構成である。乾き度特定部１０１および乾き度補正部１０２ｂは、所定のソフトウェアプログラムをコンピュータ装置１００が実行することにより機能的に実現される機能ブロックである。
【００４５】
本実施形態２では、記憶装置２００の相関関係記憶部２０１ｂが、湿り蒸気の圧力ｐに対応した光の強度Ａと湿り蒸気の乾き度χとの相関関係を示す相関関係テーブルを格納し、乾き度補正部１０２ｂが、相関関係記憶部２０１ｂに記憶された、湿り蒸気の圧力に対応した光の強度と乾き度との相関関係に基づいて湿り蒸気の乾き度χを補正する点で、上記実施形態１と異なる。その他の構成については、上記実施形態１と同様であるため、説明を省略する。
【００４６】
具体的には、乾き度補正部１０２ｂは、圧力センサ４１が検出した湿り蒸気の圧力ｐを示す圧力信号Ｓｐ、および、光強度Ａを参照値として、記憶装置２００の相関関係記憶部２０１ｂを参照し、当該圧力ｐに対応した相関関係から光強度Ａに対応する乾き度χを取得し、出力値として出力する。
【００４７】
相関関係記憶部２０１ｂには、例えば、図４に示すような、湿り蒸気の圧力ｐの大きさに対応させた光の強度Ａと湿り蒸気の乾き度χとの複数の相関関係ｆｐ１〜ｆｐ４がデータテーブルとして格納される。この相関関係ｆｐ１〜ｆｐ４は、当該乾き度測定装置１ｂが想定している湿り蒸気について、湿り蒸気の圧力ごとに光強度と湿り蒸気の乾き度との関係を例示したものである。
【００４８】
なお、湿り蒸気の圧力ｐに対応した光の強度σと湿り蒸気の乾き度χとの相関関係は、ある一定の相関関係を有するため、当該関係を以下の式（２）のような関係式として記述することもできる。圧力ｐごとの光の強度Ａと湿り蒸気の乾き度χとの相関関係が、図４に示したような一次相関関係であれば、式（２）は一次関数の近似式として記述することが可能である。
乾き度χ＝ｆ（Ａ、ｐ）  …（２）
したがって、関係式を用いる場合には、乾き度補正部１０２ｂは、湿り蒸気の圧力ｐに対応した光の強度Ａを式（２）に代入し、乾き度χを演算して出力する。
【００４９】
（動作）
次に本実施形態２の動作を説明する。
まず、湿り蒸気がパイプ２０の内部を流れている状態で湿り蒸気の乾き度を測定する場合、発光部１１に光を発光させる。発光部１１からサイトグラス３１を伝播した光は、パイプ２０内部の湿り蒸気に照射される。
【００５０】
湿り蒸気を透過した光は、パイプ２０の反対側にあるサイトグラス３２に入射して伝播し、受光部１２にて受光される。受光部１２は、湿り蒸気を透過した光の強度に対応した受光信号Ｓｄを出力する。
【００５１】
また圧力センサ４１は、パイプ２０内を流れる湿り蒸気の圧力ｐを計測して圧力信号Ｓｐとしてコンピュータ装置１００に出力する。
【００５２】
乾き度特定部１０１は、受光部１２の受光信号Ｓｄを参照して、湿り蒸気を透過した光強度Ａを特定する。次いで、乾き度特定部１０２ｂは、計測された湿り蒸気の圧力ｐ、および、光強度Ａを参照値として相関関係記憶部２０１ｂを参照するか、上記式（２）のような関係式に基づいて演算し、対応する湿り蒸気の乾き度χを出力する。出力された湿り蒸気の乾き度χは、例えば、出力装置１０６に表示される。
【００５３】
（効果）
以上説明した実施形態２によれば、上記実施形態１と同様に、サイトグラス３１，３２が高温や高圧の湿り蒸気に長期間曝されても、サイトグラス３１，３２の表面が侵食されず、乾き度の測定精度を良好に維持することができる。したがって、湿り蒸気の相状態に影響を受けない光の強度Ａと湿り蒸気の乾き度χとの相関関係に基づき乾き度χを測定可能であるので、湿り蒸気が過渡状態であったとしても湿り蒸気の乾き度を確実に測定することが可能である。
【００５４】
特に本実施形態２によれば、湿り蒸気の圧力ｐに対応して用意された光の強度Ａと湿り蒸気の乾き度χとの相関関係を用いるので、湿り蒸気の圧力が乾き度に影響を与えるような条件下でも正確な湿り蒸気の乾き度を測定可能である。
【００５５】
（実施形態３）
上記実施形態２では、湿り蒸気の圧力を考慮したが、本実施形態３では、湿り蒸気の温度を考慮する場合における乾き度測定装置に関する。
【００５６】
（構成）
図５に、本実施形態３における乾き度測定装置１ｃの構成を示す。図５に示すように、実施形態３に係る乾き度測定装置１ｃは、測定対象の湿り蒸気の温度に対応した、湿り蒸気の光の強度に基づいて乾き度を測定する装置であり、例示的に、発光部１１、受光部１２、乾き度測定部１０１、乾き度補正部１０２ｃ、および相関関係記憶部２０１ｃを含む記憶装置２００を備えて構成される。
【００５７】
本実施形態３では、さらに温度センサ４２を備えている。温度センサ４２は、パイプ２０に配置されており、パイプ２０内部の湿り蒸気の温度ｔを計測して温度信号Ｓｔとしてコンピュータ装置１００に出力する。
【００５８】
上記の構成のうち、発光部１１、受光部１２および相関関係記憶部２０１ｃがオプショナルな構成である。乾き度特定部１０１および乾き度補正部１０２ｃは、所定のソフトウェアプログラムをコンピュータ装置１００が実行することにより機能的に実現される機能ブロックである。
【００５９】
本実施形態３では、記憶装置２００の相関関係記憶部２０１ｃが、湿り蒸気の温度ｔに対応した光の強度Ａと湿り蒸気の乾き度χとの相関関係を示す相関関係テーブルを格納し、乾き度補正部１０２ｃが、相関関係記憶部２０１ｃに記憶された、湿り蒸気の温度に対応した光の強度と乾き度との相関関係に基づいて湿り蒸気の乾き度χを補正する点で、上記実施形態１と異なる。その他の構成については、上記実施形態１と同様であるため、説明を省略する。
【００６０】
具体的には、乾き度補正部１０２ｃは、温度センサ４２が検出した湿り蒸気の温度ｔを示す温度信号Ｓｔ、および、光強度Ａを参照値として、記憶装置２００の相関関係記憶部２０１ｃを参照し、当該温度ｔに対応した相関関係から光強度Ａに対応する乾き度χを取得し、出力値として出力する。
【００６１】
相関関係記憶部２０１ｃには、例えば、図６に示すような、湿り蒸気の温度ｔの大きさに対応させた光の強度と湿り蒸気の乾き度χとの複数の相関関係ｆｔ１〜ｆｔ４がデータテーブルとして格納される。この相関関係ｆｔ１〜ｆｔ４は、当該乾き度測定装置１ｂが想定している湿り蒸気について、湿り蒸気の温度ごとに光強度と湿り蒸気の乾き度との関係を示すものである。
【００６２】
なお、湿り蒸気の温度ｔに対応した光の強度Ａと湿り蒸気の乾き度χとの相関関係は、ある一定の相関関係を有するため、当該関係を以下の式（３）のような関係式として記述することもできる。温度ｔごとの光の強度と湿り蒸気の乾き度χとの相関関係が、図６に示したような一次相関関係であれば、式（３）は一次関数の近似式として記述することが可能である。
乾き度χ＝ｆ（Ａ、ｔ）  …（３）
したがって、関係式を用いる場合には、乾き度補正部１０２ｃは、湿り蒸気の温度ｔに対応した光の強度Ａを式（３）に代入し、乾き度χを演算して出力する。
【００６３】
（動作）
次に本実施形態３の動作を説明する。
まず、湿り蒸気がパイプ２０の内部を流れている状態で湿り蒸気の乾き度を測定する場合、発光部１１に光を発光させる。発光部１１からサイトグラス３１を伝播した光は、パイプ２０内部の湿り蒸気に照射される。
【００６４】
湿り蒸気を透過した光は、パイプ２０の反対側にあるサイトグラス３２に入射して伝播し、受光部１２にて受光される。受光部１２は、湿り蒸気を透過した光の強度に対応した受光信号Ｓｄを出力する。
【００６５】
また温度センサ４２は、パイプ２０内を流れる湿り蒸気の温度ｔを計測して温度信号Ｓｔとしてコンピュータ装置１００に出力する。
【００６６】
乾き度特定部１０１は、受光部１２の受光信号Ｓｄを参照して、湿り蒸気を透過した光強度Ａを特定する。次いで、乾き度補正部１０２ｃは、計測された湿り蒸気の温度ｔ、および、受光部１２が測定した光強度Ａを参照値として相関関係記憶部２０１ｃを参照するか、上記式（３）のような関係式に基づいて演算し、対応する湿り蒸気の乾き度χを出力する。出力された湿り蒸気の乾き度χは、例えば、出力装置１０６に表示される。
【００６７】
（効果）
以上説明した実施形態３によれば、上記実施形態１と同様に、サイトグラス３１，３２がより高温や高圧の湿り蒸気に長期間曝されても、サイトグラス３１，３２の表面が侵食されず、乾き度の測定精度を良好に維持することができる。したがって、湿り蒸気の相状態に影響を受けない光の強度Ａと湿り蒸気の乾き度χとの相関関係に基づき乾き度χを測定可能であるので、湿り蒸気が過渡状態であったとしても湿り蒸気の乾き度を確実に測定することが可能である。
【００６８】
特に本実施形態３によれば、湿り蒸気の温度ｔに対応して用意された光の強度Ａと湿り蒸気の乾き度χとの相関関係を用いるので、湿り蒸気の温度が乾き度に影響を与えるような条件下でも正確な湿り蒸気の乾き度を測定可能である。
【００６９】
（実施形態４）
上記実施形態２では湿り蒸気の圧力を考慮し、上記実施形態３では湿り蒸気の温度を考慮したが、本実施形態４では、湿り蒸気の流速を考慮する場合における乾き度測定装置に関する。
【００７０】
（構成）
図７に、本実施形態４における乾き度測定装置１ｄの構成を示す。図７に示すように、実施形態４に係る乾き度測定装置１ｄは、測定対象の湿り蒸気の流速に対応した、湿り蒸気の光の強度に基づいて乾き度を測定する装置であり、例示的に、発光部１１、受光部１２、乾き度測定部１０１、乾き度補正部１０２ｄ、および相関関係記憶部２０１ｄを含む記憶装置２００を備えて構成される。
【００７１】
本実施形態４では、さらに流速センサ４３を備えている。流速センサ４３は、パイプ２０に配置されており、パイプ２０内部の湿り蒸気の流速ｓを計測して温度信号Ｓｓとしてコンピュータ装置１００に出力する。
【００７２】
上記の構成のうち、相関関係記憶部２０１ｄがオプショナルな構成であり、乾き度特定部１０１および乾き度補正部１０２ｄが、所定のソフトウェアプログラムをコンピュータ装置１００が実行することにより機能的に実現される機能ブロックである点は、上記実施形態１と同じである。
【００７３】
本実施形態４では、記憶装置２００の相関関係記憶部２０１ｄが、湿り蒸気の流速ｓに対応した光の強度Ａと湿り蒸気の乾き度χとの相関関係を示す相関関係テーブルを格納し、乾き度補正部１０２ｄが、相関関係記憶部２０１ｄに記憶された、湿り蒸気の流速に対応した光の強度と乾き度との相関関係に基づいて湿り蒸気の乾き度χを補正する点で、上記実施形態１と異なる。その他の構成については、上記実施形態１と同様であるため、説明を省略する。
【００７４】
具体的には、乾き度補正部１０２ｄは、流速センサ４３が検出した湿り蒸気の流速ｓを示す温度信号Ｓｓ、および、光強度Ａを参照値として、記憶装置２００の相関関係記憶部２０１ｄを参照し、当該流速ｓに対応した相関関係から光強度Ａに対応する乾き度χを取得し、出力値として出力する。
【００７５】
相関関係記憶部２０１ｄには、湿り蒸気の流速ｓの大きさに対応させた光の強度と湿り蒸気の乾き度χとの複数の相関関係ｆｓ１〜ｆｓ４がデータテーブルとして格納される。この相関関係ｆｓ１〜ｆｓ４は、当該乾き度測定装置１ｄが想定している湿り蒸気について、湿り蒸気の温度ごとに光強度と湿り蒸気の乾き度との関係を示すものである。
【００７６】
なお、湿り蒸気の流速ｓに対応した光の強度Ａと湿り蒸気の乾き度χとの相関関係は、ある一定の相関関係を有するため、当該関係を以下の式（４）のような関係式として記述することもできる。流速ｓごとの光の強度と湿り蒸気の乾き度χとの相関関係が一次相関関係であれば、式（４）は一次関数の近似式として記述することが可能である。
乾き度χ＝ｆ（Ａ、ｓ）  …（４）
したがって、関係式を用いる場合には、乾き度補正部１０２ｄは、湿り蒸気の流速ｓに対応した光の強度Ａを式（４）に代入し、乾き度χを演算して出力する。
【００７７】
（動作）
次に本実施形態４の動作を説明する。
まず、湿り蒸気がパイプ２０の内部を流れている状態で湿り蒸気の乾き度を測定する場合、発光部１１に光を発光させる。発光部１１からサイトグラス３１を伝播した光は、パイプ２０内部の湿り蒸気に照射される。
【００７８】
湿り蒸気を透過した光は、パイプ２０の反対側にあるサイトグラス３２に入射して伝播し、受光部１２にて受光される。受光部１２は、湿り蒸気を透過した光の強度に対応した受光信号Ｓｄを出力する。
【００７９】
また流速センサ４３は、パイプ２０内を流れる湿り蒸気の流速ｓを計測して流速信号Ｓｓとしてコンピュータ装置１００に出力する。
【００８０】
乾き度特定部１０１は、受光部１２の受光信号Ｓｄを参照して、湿り蒸気を透過した光強度Ａを特定する。次いで、乾き度補正部１０２ｄは、計測された湿り蒸気の流速ｓ、および、受光部１２が測定した光強度Ａを参照値として相関関係記憶部２０１ｄを参照するか、上記式（４）のような関係式に基づいて演算し、対応する湿り蒸気の乾き度χを出力する。出力された湿り蒸気の乾き度χは、例えば、出力装置１０６に表示される。
【００８１】
（効果）
以上説明した実施形態４によれば、上記実施形態１と同様に、サイトグラス３１，３２が高温や高圧の湿り蒸気に長期間曝されても、サイトグラス３１，３２の表面が侵食されず、乾き度の測定精度を良好に維持することができる。したがって、湿り蒸気の相状態に影響を受けない光の強度Ａと湿り蒸気の乾き度χとの相関関係に基づき乾き度χを測定可能であるので、湿り蒸気が過渡状態であったとしても湿り蒸気の乾き度を確実に測定することが可能である。
【００８２】
特に本実施形態４によれば、湿り蒸気の流速ｓに対応して用意された光の強度Ａと湿り蒸気の乾き度χとの相関関係を用いるので、湿り蒸気の温度が乾き度に影響を与えるような条件下でも正確な湿り蒸気の乾き度を測定可能である。
【００８３】
（実施形態５）
上記実施形態１〜実施形態４は、光の強度に基づいて湿り蒸気の乾き度を計測していたが、本実施形態５では、吸光度に基づいて湿り蒸気の乾き度を計測する乾き度測定装置に関する。
【００８４】
（構成）
図８に、本実施形態５における乾き度測定装置１ｅの構成を示す。図８に示すように、本実施形態５に係る乾き度測定装置１ｅは、湿り蒸気の吸光度に基づいて乾き度を測定する装置であり、例示的に、発光部１１、分光光度計１３、乾き度特定部１０１、乾き度補正部１０２ｅ、および記憶装置２００を備えて構成される。
【００８５】
本実施形態５では、まず受光部１２に代えて分光光度計１３を備える点で、上記実施形態と異なる。分光光度計１３は、湿り蒸気を透過した光の強度に基づき吸光度を計測する計測手段であり、その構成に限定はない。
【００８６】
また、乾き度特定部１０１ｅは、吸光度Ｂを特定し、記憶装置２００の相関関係記憶部２０１Ｅｅが吸光度Ｂと湿り蒸気の乾き度χとの相関関係を示す相関関係テーブルを格納し、乾き度特定部１０１ｅが、相関関係記憶部２０１ｅに記憶された、吸光度と乾き度との相関関係に基づいて湿り蒸気の乾き度χを測定する点で、上記実施形態１と異なる。
【００８７】
なお、上記の構成のうち、乾き度特定部１０１ｅが、所定のソフトウェアプログラムをコンピュータ装置１００が実行することにより機能的に実現される機能ブロックである点は、上記実施形態１と同じである。
【００８８】
具体的に、分光光度計１３は、湿り蒸気を透過する光の強度に基づいて、吸光度を演算し、吸光度信号Ｓｂとして出力する。ここで、吸光度Ｂは、入射光強度をＩ0、受光した光の強度をＩとすると、式（４）のように定義される。
吸光度Ｂ＝−ｌｏｇ10（Ｉ／Ｉ0）  …（５）
以上より、湿り蒸気を透過する光の強度を計測できれば、一義的に吸光度Ｂが特定される。したがって、コンピュータ装置１００が上記実施形態１〜４のように光の強度を含む受光信号Ｓｄを入力し、式（５）に基づいて吸光度Ｂを計算するように構成してもよい。
【００８９】
乾き度特定部１０１ｅは、分光光度計１３が測定した吸光度Ｂを参照値として、記憶装置２００の相関関係記憶部２０１ｅを参照し、吸光度と乾き度との相関関係から、吸光度Ｂに対応する乾き度χを取得し、出力値として出力する。
【００９０】
相関関係記憶部２０１ｅには、例えば、図９に示すような、吸光度Ｂと湿り蒸気の乾き度χとの複数の相関関係ｆｂがデータテーブルとして格納される。吸光度Ｂと湿り蒸気の乾き度χとの相関関係についても、ある一定の相関関係を有するため、当該関係を以下の式（６）のような関係式として記述することもできる。吸光度Ａと湿り蒸気の乾き度χとの相関関係が、図９に示したような一次相関関係であれば、式（６）は一次関数の近似式として記述することが可能である。
乾き度χ＝ｇ（Ｂ）  …（６）
したがって、関係式を用いる場合には、乾き度特定部１０１ｅは、吸光度Ｂを式（６）に代入し、乾き度χを演算して出力する。
【００９１】
（動作）
次に本実施形態５の動作を説明する。
まず、湿り蒸気がパイプ２０の内部を流れている状態で湿り蒸気の乾き度を測定する場合、発光部１１に光を発光させる。発光部１１からサイトグラス３１を伝播した光は、パイプ２０内部の湿り蒸気に照射される。
【００９２】
湿り蒸気を透過した光は、パイプ２０の反対側にあるサイトグラス３２に入射して伝播し、分光光度計１３にて受光される。分光光度計１３は、湿り蒸気を透過した光の強度に対応した吸光度を示す吸光度信号Ｓｂを出力する。
【００９３】
乾き度特定部１０１ｅは、分光光度計１３が測定した吸光度Ｂを参照値として相関関係記憶部２０１ｅを参照するか、上記式（６）のような関係式に基づいて演算し、吸光度に対応する湿り蒸気の乾き度χを出力する。出力された湿り蒸気の乾き度χは、例えば、出力装置１０６に表示される。
【００９４】
（効果）
以上説明した実施形態５によれば、上記実施形態１と同様に、サイトグラス３１，３２が高温や高圧の湿り蒸気に長期間曝されても、サイトグラス３１，３２の表面が侵食されず、乾き度の測定精度を良好に維持することができる。したがって、湿り蒸気の相状態に影響を受けない吸光度Ｂと湿り蒸気の乾き度χとの相関関係に基づき乾き度χを演算可能なので、湿り蒸気が過渡状態であったとしても湿り蒸気の乾き度を確実に測定することが可能である。
【００９５】
（その他の変形例）
本発明は、上記実施形態に限定されることなく、種々に変形して適用することが可能である。
【００９６】
（１）例えば、上記実施形態２から上記実施形態４において、上記実施形態５に記載されているように、吸光度と湿り蒸気の圧力ｐ、温度ｔまたは／および流速ｓに基づき、湿り蒸気の乾き度χを測定するように構成してもよい。すなわち、測定された圧力ｐや温度ｔ、流速ｓごとの吸光度Ｂと湿り蒸気の乾き度χとの相関関係をデータテーブルとして相関関係記憶部２０１に格納しておき適宜読み出して出力するか、式（７）で記述して演算することが可能である。
乾き度χ＝ｇ（Ｂ、ｐ、ｔ、ｓ）  …（７）
【００９７】
（２）また、本発明は、上記実施形態２から実施形態４を組み合わせて実施することも可能である。すなわち、圧力ｐ、温度ｔおよび流速ｓに対応させて、光の強度と乾き度との相関関係を保持するように乾き度測定装置を構成してもよい。そして、湿り蒸気の圧力ｐ、温度ｔおよび流速ｓを計測し、計測された圧力ｐ、温度ｔおよび流速ｓに対応した相関関係を記録したデータテーブルを相関関係記憶部２０１から適宜読み出して出力するか、式（８）で記述して演算することが可能である。
乾き度χ＝ｆ（Ａ、ｐ、ｔ、ｓ）  …（８）
【００９８】
（３）また、上述した実施形態では、いずれも、湿り蒸気の一例として水蒸気を挙げたが、これに限らず、２相流の冷媒の熱量を測定する場合にも上述した各実施形態は適用可能である。
【産業上の利用可能性】
【００９９】
本願発明によれば、湿り蒸気の乾き度を測定できるようになるから、過渡状態における乾き度に基づき制御を行うようなシステムやプラントに適用可能である。
【０１００】
さらに本発明は、重厚長大産業分野に適用することが可能である。この分野においては、蒸気タービン出口の湿り蒸気の乾き度が発電効率に左右されることから、タービン出口の乾き度を蒸気の安定を待つことなくリアルタイムに計測（蒸気タービンの湿り損失計測）することで、負荷に応じたタービン入口の流量制御が可能であり、熱量ロスを軽減することができる。
【符号の説明】
【０１０１】
１１   発光部
１２   受光部
１３   分光光度計
２０   パイプ（配管）
２１、２２    測定部
３１、３２    サイトグラス
４１   圧力計測部
４２   温度計測部
４３   流速計測部
１００ コンピュータ装置
１０１ 乾き度特定部
１０２ 乾き度補正部
１０４ 入力装置
１０６ 出力装置
１０８ プログラム記憶装置
１１０ 一時記憶装置
２００ 記憶装置
２０１ 相関関係記憶部
【図１】
2015232520.tif 000003
【図２】
2015232520.tif 000004
【図３】
2015232520.tif 000005
【図４】
2015232520.tif 000006
【図５】
2015232520.tif 000007
【図６】
2015232520.tif 000008
【図７】
2015232520.tif 000009
【図８】
2015232520.tif 000010
【図９】
2015232520.tif 000011